(57)【要約】【課題】ランプの放熱性を向上させるとともに前方に照射される光の減少量を抑えつつ空間の明るさ感を高めた照明器具を提供する。【解決手段】照明器具Ａは、ランプ４の光を下方に配光する反射笠２を備え、反射笠２は、細長い略矩形板状の主片２ａを有し、主片２ａにおいてランプ４からの光をランプ４側に戻る方向へ反射させる部位を少なくとも含む部位には透孔２ｆが設けられており、この透孔２ｆからランプ４で発生する熱が外部に放熱されるとともに、ランプ４の光が上方に照射されるようになっている。【選択図】図１
2009230923.tif 000002
【特許請求の範囲】
【請求項１】
ランプの光を前方に配光する反射笠を備え、当該反射笠は、前記ランプからの光を当該ランプ側に戻る方向へ反射させる部位を少なくとも含む部位に透孔が設けられたことを特徴とする照明器具。
【発明の詳細な説明】
【技術分野】
【０００１】
本発明は、照明器具に関するものである。
【背景技術】
【０００２】
従来より、天井面に取り付けられて室内などを照明する照明器具が種々提供されている（例えば特許文献１参照）。
【０００３】
図８（ａ）は反射笠を用いた照明器具を示しており、器具本体１０１とランプ１０４の間に配設された反射笠１０２でランプ１０４の光を下方に配光することによって下方への照度を確保している（図８（ｂ）参照）。
【０００４】
一方、図９（ａ）は図８（ａ）に示した照明器具において、反射笠１０２の長手方向に沿って複数の透孔１０２ｆを設けたものであり、ランプ４の光を下方に配光しつつ透孔１０２ｆから上方にも照射することによって空間の明るさ感が高められるようになっている（図９（ｂ）参照）。
【特許文献１】特開２００３−１９７０２３号公報（段落［０００２］−段落［０００５］、及び、第１、２図）
【発明の開示】
【発明が解決しようとする課題】
【０００５】
上述の図９に示した照明器具では、ランプ１０４で発生する熱を外部に放熱するとともにランプ１０４の光を上方に配光するために透孔１０２ｆを設けているが、十分な放熱効果を得るためにはある程度の大きさが必要であった。そのため、透孔１０２ｆから上方に照射されるランプ１０４の光量が増加し、またこの透孔１０２ｆから照射される光は透孔１０２ｆがない場合には反射笠１０２で反射されて下方に照射される光であるため、その分下方への光の照射量が減少するという問題があった。
【０００６】
本発明は上記問題点に鑑みて為されたものであり、その目的とするところは、ランプの放熱性を向上させるとともに前方に照射される光の減少量を抑えつつ空間の明るさ感を高めた照明器具を提供することにある。
【課題を解決するための手段】
【０００７】
請求項１の発明は、ランプの光を前方に配光する反射笠を備え、当該反射笠は、ランプからの光を当該ランプ側に戻る方向へ反射させる部位を少なくとも含む部位に透孔が設けられたことを特徴とする。
【発明の効果】
【０００８】
請求項１の発明によれば、反射笠に透孔を設けることによってランプで発生した熱を透孔から外部に放熱できるので、熱によるランプの光出力の低下を抑えることができ、またランプからの光をランプ側に戻る方向へ反射させる部位を少なくとも含む部位に透孔を設けることによって、透孔がない場合にはランプに戻る光を含む光が上方に照射されることになるので、透孔の大きさが従来例と同程度であれば前方に照射される光の減少量を小さくして前方への照射量を確保できるとともに、後方への光により空間の明るさ感を高めることができるという効果がある。
【発明を実施するための最良の形態】
【０００９】
本発明の実施形態を図面に基づいて説明する。本実施形態の照明器具Ａは、図２に示すように固定ボルト１３を介して天井に取り付けられ、室内（例えば、工場など）を照明するために用いられる。なお、以下の説明では特に断りがない限り、図２中の矢印ａ−ｂの方向を上下方向、矢印ｃ−ｄの方向を左右方向として説明を行う。
【００１０】
本実施形態の照明器具Ａは、図２に示すようにランプ４と、ランプ４に点灯電力を供給する安定器１１が内蔵された器具本体１と、ランプ４の光を下方に配光する反射笠２とを備えている。
【００１１】
器具本体１は、図２に示すように左右方向に延出するとともに下面が開口する細長い略矩形箱状に形成されたケース本体１ａを有し、ケース本体１ａの左右方向両端部には、ランプ４が接続されるランプソケット８がソケット台７を介して各２個ずつ幅方向に並べて取着されている。また、各ランプソケット８の内側には下方に突出する突台部５がそれぞれ突設されており、各突台部５の底部には固定ねじ６が螺合するねじ孔５ａが設けられている。なお、ケース本体１ａの底面（上面）には、天井に取り付けられた２本の固定ボルト１３が挿通されるねじ挿通孔（図示せず）がそれぞれ貫設され、各ねじ挿通孔に対応する固定ボルト１３を挿通させた後、ねじ部にナット（図示せず）を螺合させると器具本体１が天井に取り付けられる。
【００１２】
さらに、器具本体１の左右方向略中央には、ケーブル１４の各電線が接続される端子台１０が収納されており、また端子台１０の右側にはランプ４に点灯電力を供給する安定器１１が収納されている。なお、端子台１０の出力端と安定器１１の入力端の間は図示しない電線により電気的に接続され、さらに安定器１１の出力端と各ランプソケット８の間も図示しない電線により電気的に接続されている。而して、ケーブル１４により供給された商用電源が端子台１０を介して安定器１１に供給され、さらにランプ４の点灯電力が安定器１１から各ランプソケット８に供給されるようになっている。また、器具本体１のケース本体１ａにおいて端子台１０に対応する部位には電線挿通孔（図示せず）が貫設されており、ケーブル１４の各電線が電線挿通孔を通して上側から端子台１０に接続できるようになっている。
【００１３】
ランプ４は、例えばワット数の高い直管型の蛍光ランプからなり、図２に示すように左右方向に延出する直管状の発光管４ａを有し、発光管４ａの左右方向両端部には一対のランプピン４ｃが突設された口金部４ｂがそれぞれ設けられている。
【００１４】
反射笠２は、図２および図３に示すように左右方向に延出する略矩形板状の主片２ａを有し、主片２ａの幅方向両端部には斜め下方に傾斜する傾斜片２ｂがそれぞれ折曲形成されている。また、主片２ａの左右方向両端部にはランプソケット８を配置するための切欠部２ｃがそれぞれ設けられ、さらに主片２ａにおいて上記ねじ孔５ａに対応する部位にはねじ挿通孔２ｄが貫設されている。なお、各切欠部２ｃにおいて各ランプソケット８の配置位置の間には、左右方向にそれぞれ突出する位置決め片２ｅが突設されており、この位置決め片２ｅまたは切欠部２ｃの幅方向における内側縁にランプソケット８を当接させることによって、器具本体１に対して反射笠２が幅方向に位置決めされるようになっている。
【００１５】
また、主片２ａの幅方向（図３（ｂ）中の上下方向）両側には、横長矩形状の透孔２ｆがランプ４のランプ軸に沿って左右方向に複数貫設されており、各透孔２ｆは、主片２ａにおいてランプ４からの光をランプ４側に戻る方向へ反射させる部位を少なくとも含む部位に設けられている。この透孔２ｆは、ランプ４で発生する熱を外部に放熱するとともに、ランプ４の光の一部を上方に配光するために設けたものであり、例えば図１０に示すように反射笠２に透孔２ｆを設けていない場合には、ランプ４で発生した熱の一部が反射笠２の内側で滞留するため（図１０中の破線ｎ）、ランプ４の周囲温度が上昇し、その結果ランプ４の光出力が低下することになるが、本実施形態のように透孔２ｆを設けることによって、ランプ４で発生する熱が透孔２ｆから外部に放熱されるので（図１（ａ）中の破線ａ）、ランプ４の周囲温度の上昇が抑えられ、その結果ランプ４の光出力の低下を抑えることができる。また、この透孔２ｆからはランプ４の光の一部が上方に照射される（図１（ｂ）中の実線ｂ）。
【００１６】
ここで、図４（ａ）はランプ４の光の一部を透孔２ｆから上方に照射させた状態を示しており、透孔２ｆがない場合には反射笠２の主片２ａで反射されてランプ４に戻る光の一部（図４（ａ）中の破線ｃ）と、透孔２ｆがない場合には反射笠２の主片２ａで反射されて下方に照射される光の一部を透孔２ｆから上方に照射させている（図４（ａ）中の実線ｄ、ｅ）。すなわち、図４（ａ）に示す照明器具Ａでは、透孔２ｆから上方に照射される光に、透孔２ｆがない場合には主片２ａで反射されてランプ４に戻る光が含まれているため、透孔２ｆの大きさが従来例と同程度であれば下方（前方）に照射される光の減少量を小さくして下方への照射量を確保でき、さらにランプ４の光を上方に配光することによって空間の明るさ感を高めることができる。
【００１７】
次に、図１０に示す従来の照明器具Ａ（透孔２ｆがない照明器具）と、本実施形態の照明器具Ａを用いた照度シミュレーションについて説明する。図５は照明器具Ａのレイアウトを示しており、横３０ｍ×縦１０ｍの床面積を有する室内において４８個の照明器具Ａを所定間隔を空けて配置している。なお、各照明器具Ａの取付高さは床面から３．５ｍに設定されており、照度の計算面高さは床面から０．７ｍに設定されている。
【００１８】
ここで、図６（ａ）は従来の照明器具Ａの配光曲線を、図６（ｂ）は本実施形態の照明器具Ａの配光曲線をそれぞれ示し、さらに図中の一点鎖線ｊおよび実線ｌはランプ４のランプ軸に垂直な方向における配光を、破線ｋおよび破線ｍはランプ４のランプ軸に平行な方向における配光をそれぞれ示している。ここにおいて両図を比較すると、本実施形態の照明器具Ａでは、下方に照射される光の輝度をランプ軸に水平な方向および垂直な方向ともに従来例と略同じ輝度に維持しつつ、上方への配光を実現していることが分かる。
【００１９】
さらに、従来の照明器具Ａと、本実施形態の照明器具Ａの比較結果を表１に示す。
【００２０】
【表１】
2009230923.tif 000003
【００２１】
本実施形態の照明器具Ａでは、ランプ４で発生する熱を透孔２ｆから外部に放熱させ、ランプ４の周囲温度の上昇を抑えることによって光出力の低下を抑制しており、その結果透孔２ｆを設けていない従来例に比べて器具効率が２％上昇している。また、従来例に比べて下方効率は低下しているが上述のように器具効率が上昇しているため、従来例と略同じ平均照度を確保することができる。なお、従来例と同程度の下方照度を確保するためには下方効率（下方に照射される光の割合）に対する上方効率（上方に照射される光の割合）の割合（以下、上下比率という。）を５％以上１５％以下に設定するのが望ましく、本実施形態では上下比率を１４．２９％に設定することによって、従来例と略同じ平均照度を確保している。
【００２２】
また、図７（ａ）は従来の照明器具Ａのシミュレーションによる点灯状態を、図７（ｂ）は本実施形態の照明器具Ａのシミュレーションによる点灯状態をそれぞれ示しており、本実施形態の照明器具Ａでは透孔２ｆから上方に照射された光が天井面を照らしている状態が見受けられる。ここで、図中のＦｅｕとは照明空間を観察したときに当該空間に対して感じられる明るさの総合評価である明るさ感覚指標の単位であり、この明るさ感覚指標は照明認識視空間の概念における色モード境界輝度に基づいて算出され、この値が大きいほど照明空間の明るさ感が高くなり、明るく感じられる（詳細については特開２００７−１７１０５５号公報参照）。したがって本実施形態の照明器具Ａを用いた場合には、明るさ感覚指標の値が従来例のＦｅｕ  １１．８からＦｅｕ  １３．４に増加しているから、従来例に比べて空間の明るさ感が高くなっており、同じ空間であっても従来例よりも明るく感じられる。なお、図中のＵＧＲは不快グレアの基準となるグレア指標であり、本実施形態の照明器具Ａは、このＵＧＲが従来例と略同じ状態において明るさ感覚指標の値がＦｅｕ  １１．８からＦｅｕ  １３．４に増加している。
【００２３】
次に、本実施形態の照明器具Ａに用いられる反射笠２のバリエーションについて説明する。図４（ａ）に示す反射笠２では主片２ａに透孔２ｆを設けているが、図４（ｂ）では主片２ａと傾斜片２ｂとの間に形成された傾斜片２ｇにおいて、ランプ４からの光をランプ４側に戻る方向へ反射させる部位にのみ透孔２ｆが設けられている。したがって、この反射笠２では、透孔２ｆがない場合には反射笠２で反射されてランプ４に向かう光（図４（ｂ）中の実線ｇ）のみが透孔２ｆから上方に照射されるので、下方に照射される光は減少せず、その結果従来例と略同じ平均照度を確保しつつ空間の明るさ感を高めることができる。
【００２４】
また、図４（ｃ）に示す反射笠２では、主片２ａにおけるランプ４の直上位置において、ランプ４からの光をランプ４側に戻る方向へ反射させる部位にのみ透孔２ｆが設けられている。したがって、この反射笠２では図４（ｂ）に示す反射笠２と同様に、透孔２ｆがない場合には反射笠２で反射されてランプ４に向かう光（図４（ｃ）中の実線ｉ）のみが透孔２ｆから上方に照射されるので、下方に照射される光は減少せず、その結果従来例と略同じ平均照度を確保しつつ空間の明るさ感を高めることができる。
【００２５】
なお、透孔２ｆを設ける位置は本実施形態に限定されるものではなく、ランプ４からの光をランプ４側に戻る方向へ反射させる部位を少なくとも含む位置であればよい。また、透孔２ｆの形状についても本実施形態に限定されるものではない。
【図面の簡単な説明】
【００２６】
【図１】本実施形態の照明器具を示し、（ａ）はランプの放熱状態を説明する説明図、（ｂ）は光の照射状態を説明する説明図である。
【図２】同上の分解斜視図である。
【図３】同上を示し、（ａ）は側面図、（ｂ）は一部破断せる上面図である。
【図４】（ａ）〜（ｃ）は同上のバリエーションを示し、光の照射状態を説明する説明図である。
【図５】同上の照度分布シミュレーション結果である。
【図６】（ａ）は従来例の照明器具の配光曲線図、（ｂ）は本実施形態の照明器具の配光曲線図である。
【図７】（ａ）は従来例の照明器具の点灯状態を示すシミュレーション結果、（ｂ）は本実施形態の照明器具の点灯状態を示すシミュレーション結果である。
【図８】（ａ）は従来例の照明器具の分解斜視図を示し、（ｂ）は同上の配光特性を示すシミュレーション結果である。
【図９】（ａ）は従来例の別の照明器具の分解斜視図を示し、（ｂ）は同上の配光特性を示すシミュレーション結果である。
【図１０】従来例のさらに別の照明器具を示し、ランプ熱の滞留状態を説明する説明図である。
【符号の説明】
【００２７】
２  反射笠
２ｆ  透孔
４  ランプ
Ａ  照明器具
【図１】
2009230923.tif 000004
【図２】
2009230923.tif 000005
【図３】
2009230923.tif 000006
【図４】
2009230923.tif 000007
【図５】
2009230923.tif 000008
【図６】
2009230923.tif 000009
【図８】
2009230923.tif 000010
【図９】
2009230923.tif 000011
【図１０】
2009230923.tif 000012
【図７】
2009230923.tif 000013